(57)【特許請求の範囲】
【請求項１】
集合住宅の集合玄関に設置される集合玄関機（１）と、前記集合住宅の複数の住戸にそれぞれ設置され、前記集合玄関機からの呼び出しに応答して通話を成立させるための居室親機（２ａ、２ａ、２ａ、・・・、２ｂ、２ｂ、２ｂ、・・・）と、玄関機ライン（Ｌ1）を経由して接続される前記集合玄関機、前記親機ライン（Ｌ2a、Ｌ2b）を経由して接続される前記居室親機をそれぞれ制御するための制御機（３）とを設け、
前記居室親機は、火事、ガス漏れ等のセキュリティ異常を検知するためのセンサ（４）が少なくとも１つ接続可能であり、前記センサにて検知されたセキュリティ異常の警報発報先を指定する所定のブロック毎に割り当てられる前記住戸のブロック情報を保管するための情報保管部（２１０）と、前記ブロック情報、前記セキュリティ異常にそれぞれ対応させた複数の警報データを保管するためのデータ保管部（２１１ａ、２１１ｂ）と、前記データ保管部から読み出した前記警報データを警報発報部（２００）から出力させるための親機ＣＰＵ（２１５）とを備え、
前記制御機は、前記セキュリティ異常の警報発報先である当該居室親機の前記警報発報部から出力させる前記警報データを前記ブロック情報に対応させて指定するための制御機ＣＰＵ（３１０）を備えたことを特徴とする集合住宅セキュリティインターホンシステム。
【請求項２】
集合住宅の集合玄関に設置される集合玄関機（１）と、前記集合住宅の複数の住戸にそれぞれ設置され、前記集合玄関機からの呼び出しに応答して通話を成立させるための居室親機（２ａ、２ａ、２ａ、・・・、２ｂ、２ｂ、２ｂ、・・・）と、玄関機ライン（Ｌ1）を経由して接続される前記集合玄関機、前記親機ライン（Ｌ2a、Ｌ2b）を経由して接続される前記居室親機をそれぞれ制御するための制御機（３）とを設け、
前記居室親機は、火事、ガス漏れ等のセキュリティ異常を検知するためのセンサ（４）が少なくとも１つ接続可能であり、前記住戸毎に異なる個別の居室ＩＤを設定するためのＩＤ設定部（２０９）と、前記居室ＩＤを保管するための情報保管部（２１０）とを備え、
前記制御機は、前記居室親機のＩＤ設定部にて設定される前記居室ＩＤ、前記センサにて検知されたセキュリティ異常の警報発報先を指定する所定のブロック毎に割り当てられる前記住戸のブロック情報をそれぞれ保管するためのＩＤ／情報保管部（３００）と、前記ＩＤ／情報保管部から読み出した前記ブロック情報を前記居室親機に送出するための制御機ＣＰＵ（３１０）とを備え、
前記居室親機は、前記ブロック情報、前記セキュリティ異常にそれぞれ対応させた複数の警報データを保管するためのデータ保管部（２１１ａ、２１１ｂ）と、前記制御機から伝送されてくる前記ブロック情報を前記情報保管部に保管し、前記データ保管部から読み出した前記警報データを警報発報部（２００）から出力させるための親機ＣＰＵ（２１５）とを備え、
前記制御機の制御機ＣＰＵは、前記セキュリティ異常の警報発報先である当該居室親機の前記警報発報部から出力させる前記警報データを前記ＩＤ／情報保管部から読み出した前記ブロック情報に対応させて指定することを特徴とする集合住宅セキュリティインターホンシステム。
【請求項３】
前記制御機は、前記警報データをデジタル信号で保管するための第１のデータ保管部（３０１）と、前記警報データをアナログ信号で保管するための第２のデータ保管部（３０２）とのうち少なくとも一方を備え、
前記制御機の制御機ＣＰＵは、前記第１のデータ保管部から読み出した前記デジタル信号の警報データ及び／又は前記第２のデータ保管部から読み出した前記アナログ信号の警報データを、前記警報データが予め保管されている前記居室親機のデータ保管部に加え、前記セキュリティ異常の警報発報先である当該居室親機の前記警報発報部から出力させる前記警報データを前記ブロック情報に対応させて指定することを特徴とする請求項１又は請求項２記載の集合住宅セキュリティインターホンシステム。
【請求項４】
前記制御機は、前記警報データをデジタル信号で保管するための第１のデータ保管部（３０１）と、前記警報データをアナログ信号で保管するための第２のデータ保管部（３０２）とのうち少なくとも一方を備え、
前記制御機の制御機ＣＰＵは、前記第１のデータ保管部から読み出した前記デジタル信号の警報データ及び／又は前記第２のデータ保管部から読み出した前記アナログ信号の警報データを、前記居室親機のデータ保管部に初期データとして保管し、前記セキュリティ異常の警報発報先である当該居室親機の前記警報発報部から出力させる前記警報データを前記ブロック情報に対応させて指定することを特徴とする請求項１又は請求項２記載の集合住宅セキュリティインターホンシステム。
【請求項５】
前記居室親機の親機ＣＰＵは、前記制御機の制御機ＣＰＵにより指定された警報データが前記データ保管部に予め保管されていないとき、前記セキュリティ異常を検知した当該居室親機に設定された警報データを前記警報発報部から出力させることを特徴とする請求項３又は請求項４記載の集合住宅セキュリティインターホンシステム。
【請求項６】
前記居室親機の親機ＣＰＵは、前記制御機の制御機ＣＰＵにより指定された警報データが前記データ保管部に予め保管されていないとき、前記制御機ＣＰＵにより指定された前記警報データとは異なる別途の警報データを前記データ保管部から読み出し、前記警報発報部から出力させることを特徴とする請求項３又は請求項４記載の集合住宅セキュリティインターホンシステム。
【発明の詳細な説明】
【技術分野】
【０００１】
本発明は、マンション等の集合住宅に設置される集合住宅セキュリティインターホンシステムに係り、特に、特定の住戸にて発生した火災、ガス漏れ等のセキュリティ異常を、当該セキュリティ異常の警報発報先において警報発報させることができる集合住宅セキュリティインターホンシステムに関する。
【背景技術】
【０００２】
従来から、この種の集合住宅セキュリティインターホンシステムとして、火災発生居室に対する速やかな救援及び火災発生階、直上階の各住戸の避難が容易となるばかりでなく、コストダウンも計られる集合住宅火災発報方法が開示されている（例えば、特許文献１を参照。）。
【０００３】
この集合住宅火災発報方法において、制御機からの火災信号及び火災居室機部屋番号を受信した各居室機は、受信した火災居室機部屋番号と自己の部屋番号とを比較して、自己の居室機が少なくとも火災発生階又は直上階にあるときには、自己のＣＰＵ内の音声ＲＯＭの使用による特定の音声合成データ、例えば、火災発生及び火災発生居室の部屋番号をスピーカから発報することができる。
【０００４】
【特許文献１】特開平９−６２９５９号公報（特に、段落［００１３］、［００１４］、第１図等をそれぞれ参照。）
【発明の開示】
【発明が解決しようとする課題】
【０００５】
背景技術に記載した特許文献１の集合住宅火災発報方法において、自己の居室機が少なくとも火災発生階又は直上階にある居室機では、同一の音声合成データがスピーカから発報されることになる。このため、例えば、複数の住戸において同時のタイミングで火災が発生したとき、自己の居室機が火災発生階又は直上階にある当該居室機、自己の居室機が火災発生階又は直上階以外の階にある当該居室機ではそれぞれ、同一の音声合成データがスピーカから発報される虞があり、火災発生階又は直上階とそれ以外の階のように、警報発報先として緊急度が異なるにも関わらず、当該緊急度の相違に応じた効果的な警報発報手段が何ら備えられていなかった。
【０００６】
本発明は、この難点を解消するためになされたもので、居室親機に接続可能なセンサにて検知されたセキュリティ異常の警報発報先を指定する所定のブロック毎に異なる警報データを設定し、この警報データを制御機の制御により居室親機に追加データ又は初期データとして保管することで、警報発報先の居室親機において効果的な警報発報を行うことができる集合住宅セキュリティインターホンシステムを提供することを目的としている。
【課題を解決するための手段】
【０００７】
前述の目的を達成するため、本発明の第１の態様である集合住宅セキュリティインターホンシステムは、集合住宅の集合玄関に設置される集合玄関機と、集合住宅の複数の住戸にそれぞれ設置され、集合玄関機からの呼び出しに応答して通話を成立させるための居室親機と、玄関機ラインを経由して接続される集合玄関機、親機ラインを経由して接続される居室親機をそれぞれ制御するための制御機とを設けたものである。居室親機は、火事、ガス漏れ等のセキュリティ異常を検知するためのセンサが少なくとも１つ接続可能であり、センサにて検知されたセキュリティ異常の警報発報先を指定する所定のブロック毎に割り当てられる住戸のブロック情報を保管するための情報保管部と、ブロック情報、セキュリティ異常にそれぞれ対応させた複数の警報データを保管するためのデータ保管部と、データ保管部から読み出した警報データを警報発報部から出力させるための親機ＣＰＵとを備えている。制御機は、セキュリティ異常の警報発報先である当該居室親機の警報発報部から出力させる警報データをブロック情報に対応させて指定するための制御機ＣＰＵを備えている。
【０００８】
また、本発明の第２の態様である集合住宅セキュリティインターホンシステムは、集合住宅の集合玄関に設置される集合玄関機と、集合住宅の複数の住戸にそれぞれ設置され、集合玄関機からの呼び出しに応答して通話を成立させるための居室親機と、玄関機ラインを経由して接続される集合玄関機、親機ラインを経由して接続される居室親機をそれぞれ制御するための制御機とを設けたものである。居室親機は、火事、ガス漏れ等のセキュリティ異常を検知するためのセンサが少なくとも１つ接続可能であり、住戸毎に異なる個別の居室ＩＤを設定するためのＩＤ設定部と、居室ＩＤを保管するための情報保管部とを備えている。制御機は、居室親機のＩＤ設定部にて設定される居室ＩＤ、センサにて検知されたセキュリティ異常の警報発報先を指定する所定のブロック毎に割り当てられる住戸のブロック情報をそれぞれ保管するためのＩＤ／情報保管部と、ＩＤ／情報保管部から読み出したブロック情報を居室親機に送出するための制御機ＣＰＵとを備えている。居室親機は、ブロック情報、セキュリティ異常にそれぞれ対応させた複数の警報データを保管するためのデータ保管部と、制御機から伝送されてくるブロック情報を情報保管部に保管し、データ保管部から読み出した警報データを警報発報部から出力させるための親機ＣＰＵとを備えている。制御機の制御機ＣＰＵは、セキュリティ異常の警報発報先である当該居室親機の警報発報部から出力させる警報データをＩＤ／情報保管部から読み出したブロック情報に対応させて指定するものである。
【０００９】
また、本発明の第３の態様である集合住宅セキュリティインターホンシステムは、本発明の第１の態様又は第２の態様において、制御機は、警報データをデジタル信号で保管するための第１のデータ保管部と、警報データをアナログ信号で保管するための第２のデータ保管部とのうち少なくとも一方を備えたものである。制御機の制御機ＣＰＵは、第１のデータ保管部から読み出したデジタル信号の警報データ及び／又は第２のデータ保管部から読み出したアナログ信号の警報データを、警報データが予め保管されている居室親機のデータ保管部に加え、セキュリティ異常の警報発報先である当該居室親機の警報発報部から出力させる警報データをブロック情報に対応させて指定するものである。
【００１０】
また、本発明の第４の態様である集合住宅セキュリティインターホンシステムは、本発明の第１の態様又は第２の態様において、制御機は、警報データをデジタル信号で保管するための第１のデータ保管部と、警報データをアナログ信号で保管するための第２のデータ保管部とのうち少なくとも一方を備えたものである。制御機の制御機ＣＰＵは、第１のデータ保管部から読み出したデジタル信号の警報データ及び／又は第２のデータ保管部から読み出したアナログ信号の警報データを、居室親機のデータ保管部に初期データとして保管し、セキュリティ異常の警報発報先である当該居室親機の警報発報部から出力させる警報データをブロック情報に対応させて指定するものである。
【００１１】
また、本発明の第５の態様である集合住宅セキュリティインターホンシステムは、本発明の第３の態様又は第４の態様において、居室親機の親機ＣＰＵは、制御機の制御機ＣＰＵにより指定された警報データがデータ保管部に予め保管されていないとき、セキュリティ異常を検知した当該居室親機に設定された警報データを警報発報部から出力させるものである。
【００１２】
また、本発明の第６の態様である集合住宅セキュリティインターホンシステムは、本発明の第３の態様又は第４の態様において、居室親機の親機ＣＰＵは、制御機の制御機ＣＰＵにより指定された警報データがデータ保管部に予め保管されていないとき、制御機ＣＰＵにより指定された警報データとは異なる別途の警報データをデータ保管部から読み出し、警報発報部から出力させるものである。
【発明の効果】
【００１３】
本発明の集合住宅セキュリティインターホンシステムによれば、居室親機に接続可能なセンサにて検知されたセキュリティ異常の警報発報先を指定する所定のブロック毎に異なる警報データを、居室親機のＩＤ設定部にて設定される居室ＩＤ、センサにて検知されたセキュリティ異常にそれぞれ対応させて設定し、この警報データを制御機の制御機ＣＰＵの制御により居室親機のデータ保管部を構成する警報データ保管部及び／又は音声データ保管部に追加データ、或いは初期データとして保管することができるため、制御機ＣＰＵの制御により指定された警報データを親機ＣＰＵの制御により警報データ保管部及び／又は音声データ保管部から読み出して、警報発報部から出力させることができる。また、制御機ＣＰＵの制御により指定された警報データが警報データ保管部及び／又は音声データ保管部に予め保管されていない場合には、自居室親機に設定された警報データ、或いは、制御機ＣＰＵにより指定され警報音データ保管部及び／又は音声データ保管部から読み出された警報データを、警報発報部から出力させることができる。これにより、警報発報先の居室親機ではそれぞれ、所定のブロック毎で異なる効果的な警報発報を行うことができるばかりでなく、警報発報が行われないといった不具合の発生を防止できる。
【発明を実施するための最良の形態】
【００１４】
以下、本発明の集合住宅セキュリティインターホンシステムを適用した最良の実施の形態例について、図面を参照して説明する。
【００１５】
図１は、本発明の実施例による集合住宅セキュリティインターホンシステムの全体構成を示すシステム説明図である。同図に示す集合住宅セキュリティインターホンシステムは、マンション等の集合住宅に設置されるものであり、当該集合住宅の集合玄関に設置される集合玄関機１と、当該集合住宅における少なくとも１つの系統、ここでは、２つの系統Ａ、Ｂに該当する複数の住戸にそれぞれ設置される居室親機２ａ、２ａ、２ａ、・・・、２ｂ、２ｂ、２ｂ、・・・と、制御伝送ラインＬ10、音系・映像伝送ラインＬ11の２線から構成された玄関機ラインＬ1を経由して接続される集合玄関機１、系統Ａに該当する制御伝送ラインＬ20a、音系・映像伝送ラインＬ21aの２線から構成された親機ラインＬ2aを経由して接続される（系統Ａの）居室親機２ａ、２ａ、２ａ、・・・、系統Ｂに該当する制御伝送ラインＬ20b、音系・映像伝送ラインＬ21bの２線から構成された親機ラインＬ2bを経由して接続される（系統Ｂの）居室親機２ｂ、２ｂ、２ｂ、・・・をそれぞれ制御するための制御機３と、居室親機２ａ、２ａ、２ａ、・・・、２ｂ、２ｂ、２ｂ、・・・にそれぞれ少なくとも１つ接続可能、ここでは、１つ接続され、火災、ガス漏れ等の住戸内にて発生したセキュリティ異常を検知するためのセンサ４とが設けられている。なお、集合住宅における２つの系統Ａ、Ｂの具体例としては、Ａ棟、Ｂ棟のような異なる棟が該当する。また、制御機３には、パーソナルコンピュータ等の外部機器や消防署、警備会社等のサーバを、適宜な手段で接続することができる。
【００１６】
集合玄関機１には、集合玄関に居る来訪者が、２つの系統Ａ、Ｂにそれぞれ該当する複数の住戸のうち、特定の住戸内に在室中の居住者を呼び出して通話を成立させるための呼出・通話機能と、呼出操作を行った来訪者の映像や集合玄関の周囲近傍の映像等を撮像するための映像撮像機能等が備えられている。
【００１７】
居室親機２ａ、２ａ、２ａ、・・・、２ｂ、２ｂ、２ｂ、・・・はそれぞれ同様な構成で住戸毎に異なる後述する個別の居室ＩＤを有しており、来訪者からの呼び出しに居住者が応答して通話を成立させるための呼出応答・通話機能と、集合玄関機１の映像撮像機能にて撮像された映像を出画するための映像出画機能と、自住戸のセンサ４にて検知されたセキュリティ異常、或いは、後述のブロック情報に該当する他住戸のセンサ４にて検知されたセキュリティ異常を警報発報するための警報発報機能等が備えられている。なお、前述の居室ＩＤは、集合住宅の規模に対応してＩＤ数が異なり、２つの系統Ａ、Ｂ毎にそれぞれ割り当てられるものである。
【００１８】
図２（ａ）は、居室親機２ａ、２ａ、２ａ、・・・、２ｂ、２ｂ、２ｂ、・・・の具体的な構成を示すブロック図である。この居室親機２ａ、２ａ、２ａ、・・・、２ｂ、２ｂ、２ｂ、・・・には、親機スピーカ２００、親機マイク２０１、ハンドセット２０２、スピーカアンプ２０３、親機マイクアンプ２０４、ハンドセットマイクアンプ２０５、レシーバアンプ２０６、モニタ２０７、操作部２０８、ＩＤ設定部２０９、情報保管部２１０、データ保管部２１１、制御Ｉ／Ｆ（インターフェース）２１２、音系・映像Ｉ／Ｆ２１３、センサＩ／Ｆ２１４及び親機ＣＰＵ２１５が備えられている。なお、居室親機２ａ、２ａ、２ａ、・・・、２ｂ、２ｂ、２ｂ、・・・を構成する前述の各部のうち、親機スピーカ２００、親機マイク２０１、ハンドセット２０２、モニタ２０７、操作部２０８及びＩＤ設定部２０９はそれぞれ、図１の当該居室親機に図示することができる。
【００１９】
この居室親機２ａ、２ａ、２ａ、・・・、２ｂ、２ｂ、２ｂ、・・・において、親機スピーカ２００は、集合玄関機１を使用した来訪者からの呼び出しがある旨の呼出データ（呼出音データ及び／又は音声データ）を出力するための呼出発報機能と、自住戸のセンサ４にて検知されたセキュリティ異常、或いは、後述のブロック情報に該当する他住戸のセンサ４にて検知されたセキュリティ異常を示す警報データ（警報音データ及び／又は音声データ）を出力するための警報発報機能と、居住者が来訪者との間で拡声通話を成立させるにあたり、集合玄関機１を使用した来訪者による受話音声データを出力するための拡声通話機能とが備えられている。また、親機マイク２０１は、前述の親機スピーカ２００とともに居住者が来訪者との間で拡声通話を成立させるにあたり使用する拡声通話機能を構成し、居住者による送話音声データが入力されるものである。また、ハンドセット２０２は、来訪者からの呼び出しに居住者が応答してハンドセット通話を成立させるにあたり使用するハンドセット通話機能を構成し、居住者による送話音声データが入力されるマイク２０２ａと、来訪者による受話音声データが出力されるレシーバ２０２ｂとが備えられている。
【００２０】
親機スピーカアンプ２０３は、親機ＣＰＵ２１５により制御され、親機スピーカ２００から出力させる呼出データ（呼出音データ及び／又は音声データ）の音圧レベル、警報データ（警報音データ及び／又は音声データ）の音圧レベル、或いは、受話音声データの音圧レベルを増幅するためのものである。また、親機マイクアンプ２０４は、親機ＣＰＵ２１５により制御され、親機マイク２０１に入力された送話音声データの音圧レベルを増幅するためのものである。また、ハンドセットマイクアンプ２０５は、ハンドセット２０２のマイク２０２ａに入力された送話音声データの音圧レベルを増幅するためのものである。さらに、レシーバアンプ２０６は、ハンドセット２０２のレシーバ２０２ｂから出力させる受話音声データの音圧レベルを増幅するためのものである。
【００２１】
モニタ２０７は、親機ＣＰＵ２１５により制御され、集合玄関機１の映像撮像機能にて撮像された映像を出画するための映像出画機能と、集合玄関機１を使用した来訪者からの呼び出しがある旨の呼出メッセージや絵データを表示するための呼出表示機能と、自住戸のセンサ４にて検知されたセキュリティ異常を示す警報メッセージや絵データ、後述のブロック情報に該当する他住戸のセンサ４にて検知されたセキュリティ異常を示す警報メッセージや絵データを表示するための警報表示機能等が備えられており、例えば、ＬＣＤ、ＰＤＰ、有機ＥＬディスプレイ等の各種の出画表示媒体が好適とされる。
【００２２】
操作部２０８は、親機ＣＰＵ２１５により操作検出され、親機スピーカ２００及び親機マイク２０１の使用による拡声通話を成立させるために居住者が行う応答操作機能と、成立中の拡声通話を終了させるために居住者が行う終話操作機能と、モニタ２０７を出画状態にするための出画操作機能等が備えられており、例えば、モニタ２０７の前面に配置されたタッチパネル上に設けられる操作機能毎に割り当てられた各種の押圧ボタンが好適とされる。なお、操作部２０８としては、操作機能毎に割り当てられた各種の押圧ボタンを、モニタ２０７の前面に配置されたタッチパネル上ではなく当該居室親機の筐体前面部に設けることもできる（図示せず。）。
【００２３】
ＩＤ設定部２０９は、親機ＣＰＵ２１５により操作検出され、住戸毎に異なる後述する個別の居室ＩＤを当該システムの施工業者等が設定するためのものであり、例えば、モニタ２０７の前面に配置されたタッチパネル上に設けられるテンキー、決定ボタン等の各種の押圧ボタンが好適とされる。なお、ＩＤ設定部２０９としては、その機能を操作部２０８に設けることができるばかりでなく、テンキー、決定ボタン等の各種の押圧ボタンを、モニタ２０７の前面に配置されたタッチパネル上ではなく当該居室親機の筐体前面部に設けることもできる（図示せず。）。
【００２４】
情報保管部２１０は、親機ＣＰＵ２１５により制御され、ＩＤ設定部２０９にて設定される居室ＩＤと、自住戸のセンサ４にて検知されたセキュリティ異常の警報発報先を指定する所定のブロック毎に割り当てられた住戸のブロック情報とをそれぞれ保管するためのものであり、例えば、ＲＡＭ、ＥＥＰＲＯＭ等の各種の記憶保管媒体が好適とされる。
【００２５】
データ保管部２１１は、親機ＣＰＵ２１５により制御され、情報保管部２１０に保管されるブロック情報、前述のセキュリティ異常にそれぞれ対応させた複数の警報データ（警報音データ及び／又は音声データ）を保管するためのものであり、例えば、ＲＡＭ、ＥＥＰＲＯＭ等の各種の記憶保管媒体が好適とされる。また、本発明の実施例において、データ保管部２１１は、セキュリティ異常の緊急度に対応させて周波数、音の間隔等が異なる例えば、「ピーポーピーポー」、「ピポピポ」等の各種の警報音データを保管するための警報音データ保管部２１１ａと、「○○○号室で火災が発生しました」、「○○○号室で火災が発生です」、「△△△号室でガス漏れが発生しました」、「△△△号室でガス漏れが発生です」、「□階の住戸で火災が発生です」、「×階の住戸でガス漏れが発生です」、「安全を確認して迅速に避難して下さい」等の各種の音声データを保管するための音声データ保管部２１１ｂとで構成されている。なお、警報音データ保管部２１１ａ及び音声データ保管部２１１ｂは、個別に設けることなく単一の当該データ保管部として設けることもできる。
【００２６】
制御Ｉ／Ｆ２１２は、親機ラインＬ2a、Ｌ2bをそれぞれ構成する制御伝送ラインＬ20a、Ｌ20bと親機ＣＰＵ２１５との間の信号伝送路を形成するためのものである。また、音系・映像Ｉ／Ｆ２１３は、親機ラインＬ2a、Ｌ2bを構成する音系・映像伝送ラインＬ21a、Ｌ21bからスピーカアンプ２０３又はレシーバアンプ２０６への信号伝送路と、親機マイクアンプ２０４又はハンドセットマイクアンプ２０５から音系・映像伝送ラインＬ21a、Ｌ21bへの信号伝送路と、音系・映像伝送ラインＬ21a、Ｌ21bからデータ保管部２１１を構成する警報音データ保管部２１１ａ及び／又は音声データ保管部２１１ｂへの信号伝送路と、音系・映像伝送ラインＬ21a、Ｌ21bからモニタ２０７への信号伝送路とをそれぞれを形成するためのものである。さらに、センサＩ／Ｆ２１４は、センサ４から親機ＣＰＵ２１５への信号伝送路を形成するためのものである。
【００２７】
親機ＣＰＵ２１５は、当該居室親機の構成各部／回路をそれぞれ制御するためのものである。具体的な制御として親機ＣＰＵ２１５は、制御機３から伝送されてくる前述のブロック情報を情報保管部２１０に保管することができる。また、親機ＣＰＵ２１５は、データ保管部２１１を構成する警報音データ保管部２１１ａ及び／又は音声データ保管部２１１ｂから読み出した警報データ（警報音データ及び／又は音声データ）を、スピーカアンプ２０３を経由して親機スピーカ２００から出力させることができる。また、親機ＣＰＵ２１５は、制御機３の後述する制御機ＣＰＵ３１０により指定された警報データ（警報音データ及び／又は音声データ）がデータ保管部２１１を構成する警報音データ保管部２１１ａ及び／又は音声データ保管部２１１ｂに予め保管されていないとき、セキュリティ異常を検知した当該居室親機に設定された警報データ（警報音データ及び／又は音声データ）、或いは、制御機ＣＰＵ３１０により指定され警報音データ保管部２１１ａ及び／又は音声データ保管部２１１ｂから読み出した警報データ（警報音データ及び／又は音声データ）を、スピーカアンプ２０３を経由して親機スピーカ２００から出力させることができる。
【００２８】
次に、図２（ｂ）は、制御機３の具体的な構成を示すブロック図である。この制御機３には、ＩＤ／情報保管部３００、第１、第２の各データ保管部３０１、３０２、音系・映像変換部３０３、３つの制御Ｉ／Ｆ（以下、それぞれを玄関機側制御Ｉ／Ｆ、第１、第２の各親機側制御Ｉ／Ｆという。）３０４、３０５、３０６、３つの音系・映像Ｉ／Ｆ（以下、それぞれを玄関機側音系・映像Ｉ／Ｆ、第１、第２の各親機側音系・映像Ｉ／Ｆという。）３０７、３０８、３０９及び制御機ＣＰＵ３１０が備えられている。
【００２９】
この制御機３において、ＩＤ／情報保管部３００は、制御機ＣＰＵ３１０により制御され、居室親機２ａ、２ａ、２ａ、・・・、２ｂ、２ｂ、２ｂ、・・・のＩＤ設定部２０９にて設定される居室ＩＤと、センサ４にて検知されたセキュリティ異常の警報発報先を指定する所定のブロック毎に割り当てられる住戸のブロック情報とをそれぞれ保管するためのものであり、例えば、ＲＡＭ、ＥＥＰＲＯＭ等の各種の記憶保管媒体が好適とされる。なお、前述のブロック情報は、当該制御機に接続されるパーソナルコンピュータ等の外部機器からの信号入力により、ＩＤ／情報保管部３００に保管されるものである。
【００３０】
第１のデータ保管部３０１は、制御機ＣＰＵ３１０により制御され、居室親機２ａ、２ａ、２ａ、・・・、２ｂ、２ｂ、２ｂ、・・・のデータ保管部２１１を構成する警報音データ保管部２１１ａ及び／又は音声データ保管部２１１ｂに追加する、又は初期データとして保管する警報データ（警報音データ及び／又は音声データ）をデジタル信号で記憶（保管）するためのものであり、例えば、ＲＡＭ、ＥＥＰＲＯＭ等の各種の記憶媒体が好適とされる。また、第２のデータ保管部３０２は、制御機ＣＰＵ３１０により制御され、居室親機２ａ、２ａ、２ａ、・・・、２ｂ、２ｂ、２ｂ、・・・のデータ保管部２１１を構成する警報音データ保管部２１１ａ及び／又は音声データ保管部２１１ｂに追加する、又は初期データとして保管する警報データ（警報音データ及び／又は音声データ）をアナログ信号で記憶（保管）するためのものであり、例えば、ＲＡＭ、ＥＥＰＲＯＭ等の各種の記憶媒体が好適とされる。なお、前述のデジタル信号、アナログ信号としての警報データ（警報音データ及び／又は音声データ）は、当該制御機に接続されるパーソナルコンピュータ等の外部機器からの信号入力により、第１、第２の各データ保管部３０１、３０２にそれぞれ記憶されるものである。
【００３１】
音系・映像変換部３０３は、制御機ＣＰＵ３１０により制御され、第１のデータ保管部３０１から読み出されたデジタル信号の警報データ（警報音データ及び／又は音声データ）、或いは、第２のデータ保管部３０２から読み出されたアナログ信号の警報データ（警報音データ及び／又は音声データ）の信号伝送路として、第１の親機側音系・映像Ｉ／Ｆ３０８及び／又は第２の親機側音系・映像Ｉ／Ｆ３０９を選択して形成するための機能と、玄関機側音系・映像Ｉ／Ｆ３０７から第１の親機側音系・映像Ｉ／Ｆ３０８又は第２の親機側音系・映像Ｉ／Ｆ３０９への音声データ（送話音声データ、受話音声データ）、映像データの信号伝送路を形成するための機能と、第１の親機側音系・映像Ｉ／Ｆ３０８又は第２の親機側音系・映像Ｉ／Ｆ３０９から玄関機側音系・映像Ｉ／Ｆ３０７への音声データ（送話音声データ、受話音声データ）の信号伝送路を形成するための機能とが備えられている。
【００３２】
玄関機側制御Ｉ／Ｆ３０４は、玄関機ラインＬ1を構成する制御伝送ラインＬ10と制御機ＣＰＵ３１０との間の信号伝送路を形成するためのものである。また、第１の親機側制御Ｉ／Ｆ３０５は、親機ラインＬ2aを構成する制御伝送ラインＬ20aと制御機ＣＰＵ３１０との間の信号伝送路を形成するためのものである。また、第２の親機側制御Ｉ／Ｆ３０６は、親機ラインＬ2bを構成する制御伝送路Ｌ20bと制御機ＣＰＵ３１０との間の信号伝送路を形成するためのものである。また、玄関機側音系・映像Ｉ／Ｆ３０７は、玄関機ラインＬ1を構成する音系・映像伝送ラインＬ11と音系・映像変換部３０３との間の信号伝送路を形成するためのものである。また、第１の親機側音系・映像Ｉ／Ｆ３０８は、親機ラインＬ2aを構成する音系・映像伝送ラインＬ21aと音系・映像変換部３０３との間の信号伝送路を形成するためのものである。さらに、第２の親機側音系・映像Ｉ／Ｆ３０９は、親機ラインＬ2bを構成する音系・映像伝送ラインＬ21bと音系・映像変換部３０３との間の信号伝送路を形成するためのものである。
【００３３】
制御機ＣＰＵ３１０は、当該制御機の構成各部／回路を制御するばかりでなく、当該システム全体を制御するためのものである。具体的な制御として制御機ＣＰＵ３１０は、第１のデータ保管部３０１から読み出したデジタル信号の警報データ（警報音データ及び／又は音声データ）、及び／又は第２のデータ保管部３０２から読み出したアナログ信号の警報データ（警報音データ及び／又は音声データ）を、当該警報データが予め保管されている居室親機２ａ、２ａ、２ａ、・・・、２ｂ、２ｂ、２ｂ、・・・のデータ保管部２１１を構成する警報音データ保管部２１１ａ及び／又は音声データ保管部２１１ｂに追加する、或いは、初期データとして保管するばかりでなく、セキュリティ異常の警報発報先である当該居室親機の親機スピーカ２００から出力させる警報データ（警報音データ及び／又は音声データ）を指定することができ、さらには、ＩＤ／情報保管部３００から読み出したブロック情報を居室親機２ａ、２ａ、２ａ、・・・、２ｂ、２ｂ、２ｂ、・・・の情報保管部２１０に保管させることができる。
【００３４】
このように構成された本発明の実施例による集合住宅セキュリティインターホンシステムにおいて、以下、具体的な動作について、図１、図２（ａ）、（ｂ）及び図３をそれぞれ参照して説明する。なお、図３は、制御機３のＩＤ／情報保管部３００に保管される居室ＩＤと、セキュリティ異常の警報発報先を指定する所定のブロック毎に割り当てられる住戸のブロック情報との対応の一例を示すテーブル構成図である。
【００３５】
また、本発明の実施例において、集合玄関に居る来訪者が集合玄関機１にて所定の呼出操作を行い、２つの系統Ａ、Ｂ毎の居室親機２ａ、２ａ、２ａ、・・・、２ｂ、２ｂ、２ｂ、・・・がそれぞれ設置された複数の住戸のうち、特定の住戸に在室中の居住者を呼び出して通話を成立させる動作は、マンション等の集合住宅に設置される各種の集合住宅インターホンシステムにおいて公知の技術事項であるため、その説明は省略するものとする。
【００３６】
例えば、当該システムが設置される施工時のような初期設定時において、図１、図２（ａ）に示す２つの系統Ａ、Ｂ毎の居室親機２ａ、２ａ、２ａ、・・・、２ｂ、２ｂ、２ｂ、・・・がそれぞれ設置された複数の住戸のうち、例えば、系統Ａにおける「１０１」を個別の居室ＩＤとして特定の居室親機２ａに割り当てるにあたっては、この居室親機２ａのＩＤ設定部２０９を当該システムの施工業者等が使用して、「１０１」の入力・設定操作を行う。この操作を検出した親機ＣＰＵ２１５は、自居室親機に割り当てられる「１０１」の居室ＩＤを情報保管部２１０に保管するとともに、設定・保管された居室ＩＤを含むＩＤ登録信号を生成することができる。また、親機ＣＰＵ２１５にて生成されたＩＤ登録信号は、制御Ｉ／Ｆ２１２、系統Ａの親機ラインＬ2aを構成する制御ラインＬ20a、図２（ｂ）に示す制御機３の第１の親機側制御Ｉ／Ｆ３０５を経由して制御機ＣＰＵ３１０に伝送されるとともに、親機ＣＰＵ２１５から制御Ｉ／Ｆ２１２、系統Ａの親機ラインＬ2aを構成する制御ラインＬ20a、系統Ａに該当する居室親機２ａ、２ａ、２ａ、・・・のうち「１０１」の居室ＩＤが設定・保管された特定の居室親機２ａを除く他の居室親機２ａ、２ａ、・・・の制御Ｉ／Ｆ２１２を経由して親機ＣＰＵ２１５にそれぞれ伝送される。
【００３７】
なお、系統Ａにおいて、「１０１」の居室ＩＤが情報保管部２１０に保管された居室親機２ａを除く他の居室親機２ａ、２ａ、・・・の親機ＣＰＵ２１５はそれぞれ、受信したＩＤ登録信号が制御機３（の制御機ＣＰＵ３１０）からの出力信号でないため、当該ＩＤ登録信号が無効な信号であると判断して何ら動作は行わない。
【００３８】
制御機３において、系統Ａで「１０１」の居室ＩＤが情報保管部２１０に保管された居室親機２ａ（の親機ＣＰＵ２１５）からのＩＤ登録信号が受信された制御機ＣＰＵ３１０は、この居室ＩＤを、系統Ａに割り当ててＩＤ／情報登録保管部３００に保管することができる。
【００３９】
また、例えば、当該システムが設置される施工時のような初期設定時において、施工業者等は、２つの系統Ａ、Ｂ毎の居室親機２ａ、２ａ、２ａ、・・・、２ｂ、２ｂ、２ｂ、・・・のＩＤ設定部２０９をそれぞれ使用して、前述までの説明における設定操作を繰り返して行うことにより、「１０１」、「１０２」、「１０３」、「１０４」、・・・、「２０１」、「２０２」、「２０３」、「２０４」、・・・、「３０１」、「３０２」、「３０３」、「３０４」、・・・、・・・のような当該全ての居室親機に対応させた個別の居室ＩＤを、自居室親機の居室ＩＤとして情報保管部２１０に保管することができるばかりでなく、当該全ての居室親機に対応させた個別の居室ＩＤは、２つの系統Ａ、Ｂに割り当てて制御機３のＩＤ／情報保管部３００に保管されることになる。
【００４０】
また、制御機３のＩＤ／情報保管部３００には、前述の居室親機２ａ、２ａ、２ａ、・・・、２ｂ、２ｂ、２ｂ、・・・に対応させた個別の居室ＩＤ「１０１」、「１０２」、「１０３」、「１０４」、・・・、「２０１」、「２０２」、「２０３」、「２０４」、・・・、「３０１」、「３０２」、「３０３」、「３０４」、・・・、・・・のみならず、図３に示すように、居室親機２ａ、２ａ、２ａ、・・・、２ｂ、２ｂ、２ｂ、・・・にそれぞれ接続されるセンサ４にて検知されたセキュリティ異常の警報発報先を指定する所定のブロック毎に割り当てられる住戸のブロック情報が予め保管されている。このブロック情報としては、火災、ガス漏れ等のセキュリティ異常が検知された住戸と警報発報先の住戸との位置に応じた緊急度によって異なる当該ブロック情報を、例えば、火災、ガス漏れ等のセキュリティ異常が検知された住戸と同一階及び直上階の全ての住戸に設置される当該居室親機を指定する緊急度の高いブロック情報（以下、高緊急度ブロック情報という。）と、火災、ガス漏れ等のセキュリティ異常が検知された住戸と同一階及び直上階を除く他階の全ての住戸に設置される当該居室親機を指定する前述の高緊急度ブロック情報と比較して緊急度が低いブロック情報（以下、低緊急度ブロック情報という。）とに大別される。これら高緊急度ブロック情報及び低緊急度ブロック情報は、前述の個別の居室ＩＤ情報にそれぞれ割り当てられたブロック情報設定信号に含められ、例えば、当該システムが設置される施工時のような初期設定時において、制御機ＣＰＵ３１０から系統Ａに該当する第１の親機側制御Ｉ／Ｆ３０５、系統Ａの親機ラインＬ2aを構成する制御ラインＬ20a、系統Ａに該当する居室親機２ａ、２ａ、２ａ、・・・の制御Ｉ／Ｆ２１２を経由して親機ＣＰＵ２１５にそれぞれ伝送されるとともに、同様な初期設定時において、制御機ＣＰＵ３１０から系統Ｂに該当する第２の親機側制御Ｉ／Ｆ３０６、系統Ｂの親機ラインＬ2bを構成する制御ラインＬ20b、系統Ｂに該当する居室親機２ｂ、２ｂ、２ｂ、・・・の制御Ｉ／Ｆ２１２を経由して親機ＣＰＵ２１５にそれぞれ伝送される。
【００４１】
さらに、系統Ａで前述の個別の居室ＩＤを有する居室親機２ａ、２ａ、２ａ、・・・、及び系統Ｂで前述の個別の居室ＩＤを有する居室親機２ｂ、２ｂ、２ｂ、・・・において、制御機３（の制御機ＣＰＵ３１０）からの出力信号であるブロック情報設定信号が受信された親機ＣＰＵ２１５はそれぞれ、火災、ガス漏れ等のセキュリティ異常が検知された住戸に対して自住戸が高い緊急度のブロック情報、低い緊急度のブロックのうち何れに該当するのかを示す高緊急度ブロック情報又は低緊急度ブロック情報を、情報保管部２１０に保管することができる。すなわち、情報保管部２１０には、前述の個別の居室ＩＤと、高緊急度ブロック情報又は低緊急度ブロック情報とがそれぞれ保管されることになる。
【００４２】
次に、前述の個別の居室ＩＤ、高緊急度ブロック情報又は低緊急度ブロック情報にそれぞれ対応させた警報データ（警報音データ及び／又は音声データ）がデジタル信号として制御機３の第１のデータ保管部３０１に予め記憶（保管）されており、また、同様の警報データ（警報音データ及び／又は音声データ）がアナログ信号として当該制御機の第２のデータ保管部３０２に予め記憶（保管）されているとき、制御機ＣＰＵ３１０は、第１のデータ保管部３０１から読み出したデジタル信号の警報データ（警報音データ及び／又は音声データ）、及び第２のデータ保管部３０２から読み出したアナログ信号の警報データ（警報音データ及び／又は音声データ）を含む警報データ保管設定信号を、所定のタイミングで生成する、例えば、前述の個別の居室ＩＤが情報保管部２１０に保管されたタイミングで生成することができる。この警報データ保管設定信号には、前述の居室ＩＤ、高緊急度ブロック情報又は低緊急度ブロック情報が含まれており、制御機ＣＰＵ３１０から音系・映像変換部３０３、系統Ａに該当する第１の親機側音系・映像Ｉ／Ｆ３０８、系統Ａの親機ラインＬ2aを構成する音系・映像ラインＬ21a、系統Ａに該当する居室親機２ａ、２ａ、２ａ、・・・の制御Ｉ／Ｆ２１２を経由して親機ＣＰＵ２１５にそれぞれ伝送されるとともに、制御機ＣＰＵ３１０から音系・映像変換部３０３、系統Ｂに該当する第２の親機側音系・映像Ｉ／Ｆ３０９、系統Ｂの親機ラインＬ2bを構成する音系・映像ラインＬ21b、系統Ｂに該当する居室親機２ｂ、２ｂ、２ｂ、・・・の制御Ｉ／Ｆ２１２を経由して親機ＣＰＵ２１５にそれぞれ伝送される。
【００４３】
また、系統Ａで前述の個別の居室ＩＤをそれぞれ有する居室親機２ａ、２ａ、２ａ、・・・、及び系統Ｂで前述の個別の居室ＩＤをそれぞれ有する居室親機２ｂ、２ｂ、２ｂ、・・・、において、制御機３（の制御機ＣＰＵ３１０）からの出力信号である警報データ保管設定信号が受信された親機ＣＰＵ２１５はそれぞれ、当該警報データ保管設定信号に含まれている個別の居室ＩＤ、高緊急度ブロック情報又は低緊急度ブロック情報と、情報保管部２１０に予め保管されている自住戸の居室ＩＤ、高緊急度ブロック情報又は低緊急度ブロック情報とを照合し、一致が検出された当該ＩＤ、ブロック情報を含む警報データ保管設定信号に含まれているデジタル信号の警報音データを、追加データ又は新規データとしてデータ保管部２１１を構成する警報音データ保管部２１１ａに保管するとともに、同様の警報データ保管設定信号に含まれているアナログ信号の音声データを、追加データ又は新規データとしてデータ保管部２１１を構成する音声データ保管部２１１ｂに保管することができる。
【００４４】
なお、前述までの説明においては、居室親機２ａ、２ａ、２ａ、・・・、２ｂ、２ｂ、２ｂ、・・・のデータ保管部２１１に追加データ又は新規データとして警報データを保管する態様として、制御機３の第１、第２の各データ保管部３０１、３０２に予め記憶（保管）されているデジタル信号、アナログ信号の警報音データを警報音データ保管部２１１ａに保管するとともに、同様に第１、第２の各データ保管部３０１、３０２に予め記憶（保管）されているデジタル信号、アナログ信号の音声データを音声データ保管部２１１ｂに保管する態様を適用したが、この態様に限定されるものではない。例えば、制御機３において、制御機ＣＰＵ３１０は、第１、第２の各データ保管部３０１、３０２に予め記憶（保管）されているデジタル信号、アナログ信号の警報音データのうち少なくとも一方の当該データ保管部に予め記憶（保管）されている警報音データを選択して、警報音データ保管部２１１ａに保管することができるばかりでなく、第１、第２の各データ保管部３０１、３０２に予め記憶（保管）されているデジタル信号、アナログ信号の音声データについても、少なくとも一方の当該データ保管部に予め記憶（保管）されている音声データを選択して、音声データ保管部２１１ｂに保管することができる。
【００４５】
次に、例えば、系統Ａで「１０３」の居室ＩＤを有する居室親機２ａが設置された住戸において、火災、ガス漏れ等のセキュリティ異常が発生、ここでは、火災が発生したとすると、このセキュリティ異常を検知したセンサ４は、火災の発生を示すセキュリティ異常情報が含まれた異常検知信号を生成し、系統Ａで「１０３」の居室ＩＤを有する居室親機２ａのセンサＩ／Ｆ２１４を経由して親機ＣＰＵ２１５に送出する。
【００４６】
系統Ａで「１０３」の居室ＩＤを有する居室親機２ａにおいて、センサ４からの異常検知信号が受信された親機ＣＰＵ２１５は、スピーカアンプ２０３が能動となるように制御するとともに、データ保管部２１１を構成する警報音データ保管部２１１ａ及び／又は音声データ保管部２１１ｂを制御、ここでは、警報音データ保管部２１１ａ及び音声データ保管部２１１ｂをそれぞれ制御して、自住戸にて火災が発生し、避難を促す旨の例えば、「ピーポーピーポー、自住戸で火災が発生しました、安全を確認して迅速に避難して下さい」といった緊急度の高い警報音データ及び音声データから構成される警報データを生成させ、この警報データを、スピーカアンプ２０３を経由して親機スピーカ２００から出力して警報発報を行うことができる。また、親機ＣＰＵ２１５は、「１０３」の居室ＩＤ及び火災発生のセキュリティ異常情報が含まれた警報信号を生成する。この警報信号は、親機ＣＰＵ２１５から制御Ｉ／Ｆ２１２、系統Ａの親機ラインＬ2aを構成する制御ラインＬ20a、図２（ｂ）に示す制御機３の第１の親機側制御Ｉ／Ｆ３０５を経由して制御機ＣＰＵ３１０に伝送されるとともに、親機ＣＰＵ２１５から制御Ｉ／Ｆ２１２、系統Ａの親機ラインＬ2aを構成する制御ラインＬ20a、系統Ａに該当する居室親機２ａ、２ａ、２ａ、・・・のうち「１０３」の居室ＩＤを有する居室親機２ａを除く他の居室親機２ａ、２ａ、・・・の制御Ｉ／Ｆ２１２を経由して親機ＣＰＵ２１５にそれぞれ伝送される。なお、前述の親機ＣＰＵ２１５は、自住戸にて火災が発生した旨の警報メッセージや絵データを、モニタ２０７に表示させて警報表示を行うこともできる。
【００４７】
なお、系統Ａにおいて、「１０３」の居室ＩＤを有する居室親機２ａを除く他の居室親機２ａ、２ａ、・・・の親機ＣＰＵ２１５は、受信した警報信号が制御機３（の制御機ＣＰＵ３１０）からの出力信号でないため、当該警報信号が無効な信号であると判断して何ら動作は行わない。
【００４８】
制御機３において、系統Ａで「１０３」の居室ＩＤを有する居室親機２ａ（の親機ＣＰＵ２１５）からの警報信号が受信された制御機ＣＰＵ３１０は、系統Ａで「１０３」の居室ＩＤを有する住戸にて火災が発生したことを検出し、この居室ＩＤに割り当ててＩ／Ｄ情報保管部３００に予め保管されていた高緊急度ブロック情報及び低緊急度ブロック情報をそれぞれ読み出す。また、制御機ＣＰＵ３１０は、系統Ａで「１０３」の居室ＩＤ、Ｉ／Ｄ情報保管部３００から読み出した高緊急度ブロック情報にそれぞれ対応させた警報データ、ここでは、緊急度の高い警報音データ及び音声データを指定するための警報データ指定信号（以下、第１の警報データ指定信号という。）と、系統Ａで「１０３」の居室ＩＤ、Ｉ／Ｄ情報保管部３００から読み出した低緊急度ブロック情報にそれぞれ対応させた警報データ、ここでは、緊急度の低い警報音データ及び音声データを指定するための警報データ指定信号（以下、第２の警報データ指定信号という。）とをそれぞれ生成することができる。これら第１、第２の各警報データ指定信号は、制御機ＣＰＵ３１０から系統Ａに該当する第１の親機側制御Ｉ／Ｆ３０５、系統Ａの親機ラインＬ2aを構成する制御ラインＬ20a、系統Ａに該当する居室親機２ａ、２ａ、２ａ、・・・の制御Ｉ／Ｆ２１２を経由して親機ＣＰＵ２１５にそれぞれ伝送される。なお、第１、第２の各警報データ指定信号は、制御機ＣＰＵ３１０の制御により、当該制御機ＣＰＵから系統Ｂに該当する第２の親機側制御Ｉ／Ｆ３０６に送出されることはない。なお、前述の制御機ＣＰＵ３１０は、系統Ａで「１０３」の居室ＩＤを有する住戸にて火災が発生した旨の警報情報を、消防署、警備会社等のサーバに通報することもできる。
【００４９】
系統Ａに該当する居室親機２ａ、２ａ、２ａ、・・・において、親機ＣＰＵ２１５はそれぞれ、制御機３（の制御機ＣＰＵ３１０）からの出力信号である第１、第２の各警報データ指定信号を受信すると、スピーカアンプ２０３が能動となるように制御することともに、当該警報データ指定信号に含まれている居室ＩＤと、高緊急度ブロック情報又は低緊急度ブロック情報とにそれぞれ対応させた警報データ、ここでは、警報音データ及び音声データが、データ保管部２１０を構成する警報音データ保管部２１０ａ及び音声データ保管部２１１ｂに予め保管されているか否かを判別する。
【００５０】
ここで、系統Ａに該当する居室親機２ａ、２ａ、２ａ、・・・のうち、火災の発生が検知された居室ＩＤが「１０３」の居室親機２ａが設置される住戸と同一階及び直上階の全ての住戸に設置される居室親機２ａ、２ａ、・・・において、前述の警報音データ及び音声データの保管を判別した親機ＣＰＵ２１５はそれぞれ、「ピーポーピーポー」といった緊急度の高い警報音データを警報音データ保管部２１１ａから読み出すとともに、「１０３号室にて火災が発生しました、安全を確認して迅速に避難して下さい」といった音声データを音声データ保管部２１１ｂから読み出すことができる。この制御により、居室ＩＤが「１０３」の居室親機２ａが設置される住戸と同一階及び直上階の全ての住戸に設置される居室親機２ａ、２ａ、・・・ではそれぞれ、「ピーポーピーポー、１０３号室にて火災が発生しました、安全を確認して迅速に避難して下さい」といった緊急度の高い警報音データ及び音声データから構成される警報データがスピーカアンプ２０３を経由して親機スピーカ２００から出力されるため、効果的な警報発報が可能となる。なお、前述の親機ＣＰＵ２１５は、１０３号室にて火災が発生した旨の警報メッセージや絵データを、モニタ２０７に表示させて警報表示を行うこともできる。
【００５１】
また、火災の発生が検知された居室ＩＤが「１０３」の居室親機２ａが設置される住戸と同一階及び直上階の全ての住戸に設置される居室親機２ａ、２ａ、・・・において、前述の警報音データ及び警報音データが警報音データ保管部２１１ａ及び音声データ保管部２１１ｂにそれぞれ予め保管されていないと判断した親機ＣＰＵ２１５は、自居室親機に設定された警報データ、或いは、制御機ＣＰＵ３１０により指定され警報音データ保管部２１１ａ及び／又は音声データ保管部２１１ｂから読み出された警報データ、ここでは、警報音データ保管部２１１ａ及び音声データ保管部２１１ｂからそれぞれ読み出された警報データ、例えば、「ブーブー、１階の住戸にて火災が発生です」といった警報音及び音声データを、スピーカアンプ２０３を経由して親機スピーカ２００から出力させることで、効果的な警報発報を行うことができ、警報発報が行われないといった不具合の発生を防止できる。なお、前述の親機ＣＰＵ２１５は、１階の住戸にて火災が発生した旨の警報メッセージや絵データを、モニタ２０７に表示させて警報表示を行うこともできる。
【００５２】
一方、系統Ａに該当する居室親機２ａ、２ａ、２ａ、・・・のうち、火災の発生が検知された居室ＩＤが「１０３」の居室親機２ａが設置される住戸と同一階及び直上階を除く他階の全ての住戸に設置される居室親機２ａ、２ａ、・・・において、前述の警報音データ及び音声データの保管を判別した親機ＣＰＵ２１５はそれぞれ、「ピポピポ」といった緊急度の低い警報音データを警報音データ保管部２１１ａから読み出すとともに、「１０３号室にて火災が発生です」といった音声データを音声データ保管部２１１ｂから読み出すことができる。この制御により、居室ＩＤが「１０３」の居室親機２ａが設置される住戸と同一階及び直上階を除く他階の全ての住戸に設置される居室親機２ａ、２ａ、・・・ではそれぞれ、「ピポピポ、１０３号室にて火災が発生です」といった緊急度の低い警報音データ及び音声データから構成される警報データがスピーカアンプ２０３を経由して親機スピーカ２００から出力されるため、効果的な警報発報が可能となる。なお、前述の親機ＣＰＵ２１５は、１０３号室にて火災が発生した旨の警報メッセージや絵データを、モニタ２０７に表示させて警報表示を行うこともできる。
【００５３】
また、火災の発生が検知された居室ＩＤが「１０３」の居室親機２ａが設置される住戸と同一階及び直上階を除く他階の全ての住戸に設置される居室親機２ａ、２ａ、・・・において、前述の警報音データ及び警報音データが警報音データ保管部２１１ａ及び音声データ保管部２１１ｂにそれぞれ予め保管されていないと判断した親機ＣＰＵ２１５は、自居室親機に設定された警報データ、或いは、制御機ＣＰＵ３１０により指定され警報音データ保管部２１１ａ及び／又は音声データ保管部２１１ｂから読み出された警報データ、ここでは、警報音データ保管部２１１ａ及び音声データ保管部２１１ｂからそれぞれ読み出された警報データ、例えば、「ブーブー、１階の住戸にて火災が発生です」といった警報音及び音声データを、スピーカアンプ２０３を経由して親機スピーカ２００から出力させることで、効果的な警報発報を行うこともでき、警報発報が行われないといった不具合の発生を防止できる。なお、前述の親機ＣＰＵ２１５は、１階の住戸にて火災が発生した旨の警報メッセージや絵データを、モニタ２０７に表示させて警報表示を行うこともできる。
【００５４】
なお、前述までの説明では、火災の発生が検知された居室ＩＤが「１０３」の居室親機２ａが設置される住戸と同一階及び直上階の全ての住戸に設置される居室親機２ａ、２ａ、・・・と、火災の発生が検知された居室ＩＤが「１０３」の居室親機２ａが設置される住戸と同一階及び直上階を除く他階の全ての住戸に設置される居室親機２ａ、２ａ、・・・とにおいて効果的な警報発報を行うにあたり適用される警報データとして、警報音データ及び音声データをそれぞれ適用したが、この態様に限定されるものではない。例えば、制御機３の制御機ＣＰＵ３０にて生成される第１、第２の各警報データ指定信号により指定される警報データとして、警報音データ及び音声データのうち何れか一方の当該データのみを指定することもできる。
【００５５】
本発明の実施例による集合住宅セキュリティインターホンシステムにおいては、居室親機２ａ、２ａ、２ａ、・・・、２ｂ、２ｂ、２ｂ、・・・が有する通話機能として、親機スピーカ２００及び親機マイク２０１の使用による拡声通話機能とハンドセット２０２の使用によるハンドセット通話機能とのように、異なる２種の通話機能を有する当該居室親機を適用したが、この態様に限定されるものではない。例えば、拡声通話機能及びハンドセット通話機能のうち何れか１の通話機能が備えられていればよく、拡声通話機能のみを備えるにあたっては、ハンドセット２０２、ハンドセットマイクアンプ２０５及びレシーバアンプ２０６がそれぞれ不要になる一方、ハンドセット通話機能のみを備えるにあたっては、親機マイク２０１、親機マイクアンプ２０４がそれぞれ不要になり、当該居室親機の構成を簡素化することができる。
【００５６】
また、本発明の実施例による集合住宅セキュリティインターホンシステムにおいては、警報データ（警報音データ及び／又は音声データ）を予め記憶する制御機３のデータ保管部として、第１、第２のデータ保管部３０１、３０２を適用したが、この態様に限定されるものではない。例えば、第１、第２のデータ保管部３０１、３０２のうち少なくとも一方の当該データ保管部が備えられた制御機３を適用することもできる。
【００５７】
また、本発明の実施例による集合住宅セキュリティインターホンシステムにおいては、居室親機２ａ、２ａ、２ａ、・・・、２ｂ、２ｂ、２ｂ、・・・にそれぞれ接続されるセンサ４にて検知されたセキュリティ異常の警報発報先を指定する所定のブロック毎に割り当てられる住戸のブロック情報として、高緊急度ブロック情報及び低緊急度ブロック情報のように、２段階のレベルで緊急度を表すブロック情報を適用したが、この態様に限定されるものではない。例えば、より細かなレベル、例えば、緊急度のレベルを「１」〜「１０」の１０段階で表すブロック情報を適用することもできる。
【００５８】
さらに、本発明の実施例による集合住宅セキュリティインターホンシステムにおいては、センサ４にて検知されるセキュリティ異常として、住戸内にて発生した火災、ガス漏れを適用したが、この態様に限定されるものではない。例えば、水漏れの発生や泥棒等の不審者の侵入をセンサ４にてそれぞれ検知し、前述のような効果的な警報発報を行うこともできる。
【００５９】
最後に、本発明の集合住宅セキュリティインターホンシステムにおいては、特定の実施の形態をもって説明してきたが、この形態に限定されるものでなく、本発明の効果を奏する限り、これまで知られた如何なる構成の集合住宅セキュリティインターホンシステムであっても採用できるということはいうまでもないことである。
【図面の簡単な説明】
【００６０】
【図１】図１は、本発明の実施例による集合住宅セキュリティインターホンシステムの全体構成を示すシステム説明図である。
【図２】図２（ａ）は、本発明の実施例による集合住宅セキュリティインターホンシステムにおいて、居室親機の具体的な構成を示すブロック図である。また、図２（ｂ）は、本発明の実施例による集合住宅セキュリティインターホンシステムにおいて、制御機の具体的な構成を示すブロック図である。
【図３】図３は、本発明の実施例による集合住宅セキュリティインターホンシステムにおいて、制御機のＩＤ／情報保管部に保管される居室ＩＤと、セキュリティ異常の警報発報先を指定する所定のブロック毎に割り当てられる住戸のブロック情報との対応の一例を示すテーブル構成図である。
【符号の説明】
【００６１】
１……集合玄関機
２ａ、２ａ、２ａ、・・・、２ｂ、２ｂ、２ｂ、・・・ ……居室親機
２０９……ＩＤ設定部
２００……親機スピーカ（警報発報部）
２１０……情報保管部
２１１ａ……警報音データ保管部（データ保管部）
２１１ｂ……音声データ保管部（データ保管部）
２１５……親機ＣＰＵ
３……制御機
３００……ＩＤ／情報保管部
３０１、３０２……第１、第２の各データ保管部
３１０……制御機ＣＰＵ
４……センサ
Ｌ1……玄関機ライン
Ｌ2a、Ｌ2b……親機ライン
【図１】
0005026865.tif 000002
【図２】
0005026865.tif 000003
【図３】
0005026865.tif 000004